(57)【要約】 【課題】  陳列体裁が良く、棚受けが棚柱に対し両手持ちし、耐荷重性能が優れる許かりでなく、棚受けの取り付け、取り外しが極めて容易で、且つ強固に固定し得る棚板支持装置を提供する。【解決手段】  短冊状平板部１１ａの裏面に、左右方向へ所定間隔開いて横並びする短尺な隙間形成用突脚部１１ｅを一定間隔を存して多数縦列配備した棚柱１と、斜め十字状に交差するアーム２１ａ、２２ａの先端に、対向する左右一対の枠体状フック部２１，２２を一体に連続させ、このフック部２１、２２の先端廻り込み部２１ｂ、２２ｂが上記隙間形成用突脚部１１ｅに係合して、短冊状平板部１１ａの両側辺部１１ｂに対し抱き付き状に嵌着する棚受け抱着部材２と、上記各アーム２１ａ、２２ａの適所に連続して、左右一対の枠体状フック部２１、２２の対向間隔を拡縮可能にバネ付勢する付勢手段３とら成る。【選択図】          図１
2009072393.tif 000002
【特許請求の範囲】
【請求項１】
短冊状平板部の裏面に、左右方向へ所定間隔開いて横並びする短尺な隙間形成用突脚部を一定間隔存して多数縦列配備した棚柱と、斜め十字状に交差するアームの先端に、対向する左右一対の枠体状フック部を一体に連続させ、この枠体状フック部の先端廻り込み部が上記隙間形成用突脚部に係合して、短冊状平板部の両側辺部に対し抱き付き状に嵌着する棚受け抱着部材と、上記各アームの適所に連続して、左右一対の枠体状フック部の対向間隔を拡縮可能にバネ付勢する付勢手段とから成ることを特徴とする棚板支持装置。
【請求項２】
前記付勢手段の適所に、棚受け板が起伏可能に取り付けられ、この棚受け板が上記各アーム及び付勢手段の上部を開閉状に蓋することを特徴とする請求項１記載の棚板支持装置。
【請求項３】
前記棚受け板の裏面には、上記付勢手段に係脱可能な拡開阻止体が配備され、付勢手段に対し拡開阻止体が係合することで、両枠体状フック部の対向間隔の拡開を阻止することを特徴とする請求項２記載の棚板支持装置。
【発明の詳細な説明】
【技術分野】
【０００１】
この発明は、棚板支持装置に関する。
【背景技術】
【０００２】
図８に示すような棚板支持装置が、一般的に使用されている。
この棚板支持装置は、短冊状板体７１の両側辺をそれぞれ直角に折り曲げた断面コ字状の棚柱７２と、棚受け７３とから成る。
【０００３】
板体７１の面内には、上下方向へ一定間隔開いて多数の取付孔７６が開設してある。この取付孔７６は、大径円形孔７４の下方に幅狭の矩形孔７５を連続状に設けている。一方、棚受け７３は大径丸棒軸７７の先端に小径の短軸７８を突設し、この小径短軸７８の先端に円板状のストッパ部７９を設けている。
【０００４】
この棚板支持装置では、板体７１面内のビス孔からビスを打ち付けて棚柱７２を壁面等に固定する。ついで、大径円形孔７４に対しストッパ部７９を挿通し、短軸７８を矩形孔７５に位置させることで、丸棒軸７７の先端周面とストッパ部７９とで板体７１を挟着して固定する。
【０００５】
このような構成の棚板支持装置では、板板の面内に取付孔が多数開設してある。この多数の取り付け孔が目立ち、陳列体裁が悪い許かりでなく、耐荷重性に劣る不利があった。
【０００６】
そこで、近年、図７に示すような棚板支持装置が提案されている。
この棚板支持装置は、短冊状板体８１の両側辺を直角に折り曲げて両側面板部８３、８３ａを設けた断面コ字状の棚柱８２と、棚受け８５とから成る。
【０００７】
棚柱８２の一方の側面板部８３には、上下方向へ一定間隔を開いて複数の取付用切欠き部８４を設けることで、側面板部８３に複数の係止段部８４ａを構成している。
【０００８】
一方、棚受け８５は板体８１に接面する垂直板部８６と、垂直板部の長さ中央から突出する水平状支承部８７とからなる。垂直板部８６には、一側辺に直角状に連続し側面板部８３に接面する側板部８６ａと、側板部８６ａの先端を直角にに折り曲げて、基部に嵌合凹み部８７ａ、８７ｂを備えた廻込み係止板８７を設けている。
【０００９】
この棚板支持装置では、垂直板部８６を板体８１に接面させると、側板部８６ａが棚柱の側面板部８３に接面する。この状態で、廻込み係止板８７の嵌合凹み部８７ａ、８７ｂが切欠き部８４の係止段部８４ａに嵌着係止して、棚柱８２に棚受け８５が固定される。
【特許文献１】特開２００４−３６７号公報
【発明の開示】
【発明が解決しようとする課題】
【００１０】
上記棚板支持装置では、棚柱（板体）に取付孔が全く存在しないから、陳列体裁が良好である許かりでなく、取付孔が存在しない分、厚みの大きい棚柱を使用する必要がないため、製品原価を低く抑えることができる利点がある。
【００１１】
反面、この棚板支持装置では、棚柱に対して棚受けが片手持ちされる方式（棚柱の一側面側でのみ棚受けを固定するタイプ）であるため、荷重に対し左右のガタつきが生じる虞れがあると共に、設置に際しては棚受け固定側の一側面が、陳列奥側となるように棚柱の左右側に留意する必要がある等の不利があった。
【００１２】
この発明は、以上のような課題を解消させ、陳列体裁が良く、棚受けが棚柱に対して両手持ちし、耐荷重性能に優れる許りでなく、棚受けの取り付け、取り外しが極めて簡易で、且つ強固に固定し得る棚板支持装置を提供することを目的とする。
【課題を解決するための手段】
【００１３】
この目的を達成させるために、この発明の棚板支持装置では、次のような構成としている。
【００１４】
棚板支持装置は、短冊状平板部の裏面に、左右方向へ所定間隔開いて横並びする短尺な隙間形成用突脚部を一定間隔存して多数縦列配備した棚柱と、斜め十字状に交差するアームの先端に、対向する左右一対の枠体状フック部を一体に連続させ、この枠体状フック部の先端廻り込み部が上記隙間形成用突軸部に係合して、短冊状平板部の両側辺部に対し抱き付き状に嵌着する棚受け抱着部材と、上記各アームの適所に連続して、左右一対の枠体状フック部の対向間隔を拡縮可能にバネ付勢する付勢手段とから成ることを特徴としている。
【発明の効果】
【００１５】
このような構成を有する棚板支持装置では、棚受け抱着部材の先端の枠体状フック部の対向間隔をバネ付勢手段により拡縮することで、棚柱に対し棚受け抱着部材を装脱可能としたから、付勢するバネ力を開放するだけの極めて簡単な操作で棚受けの付け外しを実行し得る。
【００１６】
更に、棚受け抱着部材は、棚柱に対し抱き付き状で且つ両手持ちで止着するから、耐荷重性能に優れる許かりでなく、荷重に対する左右のガタつきも解消されると共に陳列体裁が頗る良好となる。
【００１７】
また、棚受け抱着部材の上面に蓋状に取り付ける棚受け板の拡開阻止体をバネ付勢手段に係合させることで、左右一対の枠体状フック部の対向間の拡開を阻止し得るから、棚柱に対する棚受け抱着部材の固定が一層強固となり、使用上の安全と安心を実現し得る。
【００１８】
更に、棚受け抱着部材の先端廻り込み部が、棚柱の裏面の隙間形成用突脚部に係止して上下方向の動きが固定されるものであるから、固定構造が陳列正面側からは全く目視し得ず外観体裁が一層向上する等、発明目的を達成した優れた効果を有する。
【発明を実施するための最良の形態】
【００１９】
以下、図面に基づき本発明に係る棚板支持装置の具体的な実施の形態を説明する。
【００２０】
図１は、棚板支持装置の分解斜視図である。
【００２１】
棚板支持装置は、棚柱１と、棚受け抱着部材２と、付勢手段３と、棚受け板４とから成る。
【００２２】
棚柱１は、柱本体１１と目隠し板１３とから成る。柱本体１１は、短冊状平板部１１ａと、この平板部１１ａの前方へ僅かに突出する両側辺部１１ｂ、１１ｂと、両側辺部１１ｂ、１１ｂ間に設けた溝形成用突条１１ｃと、溝形成用突条１１ｃと両側辺部１１ｂとの間の取り付け溝部１１ｄとを備える。
【００２３】
更に、短冊状平板部１１ａの面内には、取付用ビス孔１１ｇが開設してあり、壁面Ｙなどに棚柱（短冊状平板部１１ａ）１をビス１２止めする。そして、幅狭矩形の薄板状目隠し板１３の両側辺の係合片１３ａを、上記取り付け溝部１１ｄに係着させることで、ビス１２頭を目隠しする。
【００２４】
上記短冊状平板部１１ａの背面には、両側辺部１１ｂ、１１ｂよりも少し内側寄りに隙間形成用突脚部１１ｅ、１１ｅを設けている。この隙間形成用突脚部１１ｅ、１１ｅは、左右方向へ所定間隔開いて横列に並べ、図３で示すように所定間隔の空間部（支持兼用位置決め空間部）１１ｆを介して、多数を縦列配備している。
【００２５】
前記抱着部材２は、斜め十文字状に交差するアーム２１ａ、２２ａと、このアーム２１ａ、２２ａの先端に一体連続状に配備される左右一対の対向する枠体状フック部２１、２２とから成る。
【００２６】
各アーム２１ａ、２２ａは、枠体状フック部２１、２２の枠体高さの半分の高さを有する板体で、上下方向へ重合状に交差させてある。そして、各アーム２１ａ、２２ａの先端に断面が「コ」字状で収容空部を備える枠体状のフック部２１、２２が連続形成してある。
【００２７】
枠体状フック部２１、２２の収容空部は、柱本体１１の側辺部１１ｂを嵌合し得る大きさに設定してある。また、枠体状フック部２１、２２の枠体は、柱本体１１の隙間形成用突脚部１１ｅ、１１ｅ間の空間部（支持兼用位置決め空間部）１１ｆの開口に挿脱し得る高さに設定してある（図３参照）。
【００２８】
更に、枠体状フック部２１、２２の屈曲先端部つまり、先端廻り込み部２１ｂ、２２ｂは、隙間成形用突脚部１１ｅに支承される長さに設定してある。つまり、枠体状フック部２１、２２が柱本体１１の両側辺部１１ｂを嵌合するとき、廻り込み部２１ｂ、２２ｂが隙間成形用突脚部１１ｅに係止する（図４参照）。
【００２９】
前記付勢手段３は、上記棚受け抱着部材２のアーム２１ａ、２２ａの基端に延長状に連続形成される平面形状が「コ」字状のバネ枠体である。すなわち、上面を水平とし、前側の高さを高く設定し下辺が勾配状の両側壁３１、３２と、両側壁３１、３２の対向基端を連続する高さの低い連続壁部３３とからなる。
【００３０】
このバネ枠体３により、棚受け抱着部材（枠体状フック部２１、２２）２の対向間隔が最も縮小している常態を保持するように設定してある（図４参照）。両側壁３１，３２に内向きの力を加えることで、両側壁３１，３２の対向間が接近する分、両枠体状フック部２１、２２の対向間が拡大し（図５参照）、力を取り除くとき現状へばね復帰する。
【００３１】
前記棚受け板４は、図４及び図５で示すように、矩形平板部４１の基端部の舌片４５が、上記連続壁部３３の係合突片３４に兆番状に係合して起伏可能に取り付けられる。
【００３２】
矩形平板部４１の裏面には、図６で示すように、両側板部４２、４２と、ガイド片４４、４４が設けられ、側板部４２とガイド片４４との間に、前記両側壁３１、３２を嵌着する。
【００３３】
更に、図６で示すように、棚受け板４の矩形平板部４１の裏面には、上記両側壁３１、３２間に対し緊密に嵌着して、両側壁３１、３２間の対向距離を固定する短尺な棒軸状拡開阻止体４３が突設してある。
【００３４】
このような構成を有する棚板支持装置では、図２及び図３で示すように棚柱１に対し棚受け抱着部材２が取り付けられ、棚受け体４の上面に棚板Ａが載せられる。
【００３５】
この取り付け状態において、図２で示すように、枠体状フック部２１、２２が柱本体１１の両側辺部１１ｂ、１１ｂに対し抱き付き状に嵌着している。そして、図３で示すように、枠体状フック部２１、２２の先端廻り込み部２１ｂ、２２ｂは支持兼用位置決め空間部１１ｆに位置し、且つ図４で示すように隙間形成用突脚部１１ｅの上部に引っ掛り係止し、完全強固に固定されている。
【００３６】
更に、図６で示すように、この取り付け状態は、拡開阻止体４３が両側壁３１、３２を外方向へ押圧力をかける分、両枠体状フック部２１，２２には内方向への締め付け力が働く結果、一層強固な固定状態が確保され得る。
【００３７】
柱本体１１から棚受け抱着部材２を取り外す際は、図４で示すように棚受け体４を起立させて（付勢手段３の上面から引き上げて）、拡開阻止体４３を両側壁３１，３２から開放させる。
【００３８】
このストッパ開放状態で、図５に示すように付勢手段３のばね力に抗して両側壁３１、３２を内向きに押圧する（図５中の矢印方向へ押圧する）。
【００３９】
これにより、対向する左右一対の枠体状フック部２１、２２の角度が変位、つまり枠体状フック部２１，２２の対向間隔が拡大する。そして、枠体状フック部２１，２２と柱本体１１との係合が容易に外れる。
【図面の簡単な説明】
【００４０】
【図１】実施の形態の棚板支持装置を示す分解斜視図である。
【図２】棚板支持装置に棚板を載せ置いた状態を示す説明斜視図である。
【図３】棚板支持装置を示す側面図である。
【図４】枠体状フック部と柱本体との係合状態を平面視した状態の説明図である。
【図５】枠体状フック部を柱本体から取り外す状態を示す説明図である。
【図６】枠体状フック部と柱本体との係合状態を底面視した状態の説明図である。
【図７】近年提案されている従来例の棚板支持装置を示す説明斜視図である。
【図８】現在、一般に使用されている従来例の棚板支持装置を示す説明斜視図である。
【符号の説明】
【００４１】
１      棚柱
２      棚受け抱着部材
３      付勢手段
４      棚受け体
１１    柱本体
１１ａ  短冊状平板部
１１ｂ  両側辺部
１１ｅ  隙間形成用突脚部
１１ｆ  支持兼用位置決め空間部
２１    枠体状フック部
２２    枠体状フック部
２１ａ  アーム
２２ａ  アーム  
２１ｂ  先端廻り込み部
２２ｂ  先端廻り込み部
３１    側壁
３２    側壁
４３    拡開阻止体
【図１】
2009072393.tif 000003
【図２】
2009072393.tif 000004
【図３】
2009072393.tif 000005
【図４】
2009072393.tif 000006
【図５】
2009072393.tif 000007
【図６】
2009072393.tif 000008
【図７】
2009072393.tif 000009
【図８】
2009072393.tif 000010